(57)【要約】【課題】屈曲箱の保形性を高め、内容物を確実に区分けして収納でき、異物等から保護できるようにする。【解決手段】複数の収納部１を屈曲部２を介して連結した屈曲箱において、前記収納部１を、外面板３、両側面板４及び内面板５を角筒状に連設して形成し、隣り合う収納部１のうち、一方の収納部１に、その内面板５の端部をなす仕切板部７を設け、屈曲部２の折り曲げに伴い、仕切板部７を他方の収納部１又は屈曲部２に挿入して、隣り合う収納部１の内部空間を区画する。収納部１が角筒状となっていることから、自己保形性に優れ、側面板４が押されても収納部１に隙間が生じることがなく、内容物を確実に区分けして各収納部１に収納でき、異物から保護することができる。【選択図】図１
2011042395.tif 000002
【特許請求の範囲】
【請求項１】
複数の収納部(1)を屈曲部(2)を介して連結した屈曲箱において、前記収納部(1)を、外面板(3)、両側面板(4)及び内面板(5)を角筒状に連設して形成し、隣り合う収納部(1)のうち、一方の収納部(1)に、その内面板(5)の端部をなす仕切板部(7)を設け、屈曲部(2)の折り曲げに伴い、仕切板部(7)を他方の収納部(1)又は屈曲部(2)に挿入して、隣り合う収納部(1)の内部空間を区画したことを特徴とする屈曲箱。
【発明の詳細な説明】
【技術分野】
【０００１】
この発明は、菓子や各種小物を種類ごとに区分けして収納できる複数の収納部が屈曲部を介して連結された屈曲箱に関するものである。
【背景技術】
【０００２】
従来、特徴ある外観で訴求性を高めた屈曲箱として、下記特許文献１には、図１６に示すように、環状収納部５１と中心収納部５２とから成るものが記載されている。環状収納部５１は、８個の収納部５３を屈曲部５４を介して連結したものとされ、屈曲部５４は、隣り合う収納部５３の境界に入れた折目線とされている。
【０００３】
各収納部５３は、図１７に示すように、環状収納部５１の折り曲げ前の状態で説明すると、外面板５５の両側に台形状の側面板５６を連設し、外面板５５から起立する仕切板５７を、両側面板５６の一方の斜辺間に渡したものとされている。また、環状収納部５１の一端の収納部５３には、蓋板５８及び継板５９が連設されている。
【０００４】
このような環状収納部５１を組み立てるには、８個の収納部５３を、屈曲部５４の折り曲げに伴い環状に配列し、一端の収納部５３から内容物が飛び出さないように蓋板５８を閉じ、継板５９を他端の収納部５３にホック６０で固定して、環状収納部５１の形状を維持し、その中心部に形成された穴に、八角筒状の中心収納部５２を挿入する。
【先行技術文献】
【特許文献】
【０００５】
【特許文献１】登録実用新案第３１３２１７６号公報
【発明の概要】
【発明が解決しようとする課題】
【０００６】
しかしながら、上記のような屈曲箱では、側面板５６が内側へ押し込まれると、隣り合う収納部５３の間に隙間が生じ、この隙間から収納部５３の内部にいたずらで異物が混入されるおそれがある。
【０００７】
また、中心収納部５２を抜き取ると、保形性が損なわれるほか、各収納部５３に区分けして収納した内容物が飛び出してしまうという問題がある。
【０００８】
そこで、この発明は、屈曲箱の保形性を高め、内容物を確実に区分けして収納でき、異物等から保護できるようにすることを課題とする。
【課題を解決するための手段】
【０００９】
上記課題を解決するため、この発明は、複数の収納部を屈曲部を介して連結した屈曲箱において、前記収納部を、外面板、両側面板及び内面板を角筒状に連設して形成し、隣り合う収納部のうち、一方の収納部に、その内面板の端部をなす仕切板部を設け、屈曲部の折り曲げに伴い、仕切板部を他方の収納部又は屈曲部に挿入して、隣り合う収納部の内部空間を区画したのである。
【発明の効果】
【００１０】
この屈曲箱では、収納部が角筒状となっていることから、自己保形性に優れ、側面板が押されても収納部に隙間が生じることがなく、内容物を仕切板部で確実に区分けして、各収納部に収納でき、異物から保護することができる。
【図面の簡単な説明】
【００１１】
【図１】この発明の第１実施形態に係る屈曲箱を示す斜視図
【図２】図１のII−II線に沿った断面図
【図３】同上の屈曲箱のブランクを示す図
【図４】同上の収納部を筒状に組み立てた状態を示す斜視図
【図５】同上の屈曲部の折り曲げ過程を示す斜視図
【図６】同上の屈曲箱の開封過程を示す斜視図
【図７】この発明の第２実施形態に係る屈曲箱を示す斜視図
【図８】図７のVIII−VIII線に沿った断面図
【図９】同上の屈曲箱のブランクを示す図
【図１０】同上の収納部を筒状に組み立てた状態を示す斜視図
【図１１】同上の屈曲部の折り曲げ過程を示す斜視図
【図１２】同上の屈曲箱の開封過程を示す斜視図
【図１３】この発明の第３実施形態に係る屈曲箱を示す斜視図
【図１４】同上の屈曲箱のブランクを示す図
【図１５】同上の屈曲部の折り曲げ過程を示す斜視図
【図１６】従来の屈曲箱を示す斜視図
【図１７】同上の収納部が一列に並んだ状態を示す斜視図
【発明を実施するための形態】
【００１２】
まず、この発明の第１実施形態を図１乃至図６に基づいて説明する。
【００１３】
図１及び図２に示すように、この屈曲箱は、３個の収納部１を屈曲部２を介して連結したものであり、図３に示すような一枚の板紙製ブランクから形成される。
【００１４】
このブランクでは、３個の収納部１を形成する部分が一列に配置され、各収納部１を形成する部分は、外面板３の一側に側面板４、内面板５、側面板４及び接着片６を押罫の折目線を介して順次連設したものとされている。
【００１５】
隣り合う収納部１の外面板３同士は、押罫の折目線を介して繋がっており、この折目線が屈曲部２となっている。各収納部１の接着片６もまた、押罫の折目線から成る屈曲部２を介して繋がっている。そして、隣り合う収納部１の一対の側面板４及び内面板５は、切り離されている。
【００１６】
側面板４は、外面板３及び接着片６との境界から内面板５との境界へかけて窄まった台形状とされ、両側の斜辺は、外面板３及び接着片６との境界の折目線に対して６０°の角度をなすものとされている。内面板５の一端縁は、側面板４の一方の斜辺に連続し、内面板５の他端縁は、側面板４の他方の斜辺の内端から後退している。
【００１７】
側面板４の斜辺に連続する内面板５の一端部には、仕切板部７が設けられている。仕切板部７には、外端縁の中心を頂点としてＶ字状に切目入りのリード罫から成る折目線７ａが入れられ、折目線７ａの外端間に押罫の折目線７ｂが入れられている。
【００１８】
ブランクの一端の収納部１には、側面板４の外端に押罫の折目線を介して折曲片４ａが連設され、外面板３の外端に押罫の折目線を介して折曲片３ａが連設されている。また、この外面板３には、折曲片３ａとの境界両端から内側へ斜め方向に延びるジッパ型の切目線３ｂが入れられ、その内端間に押罫の折目線３ｃが入れられている。
【００１９】
ブランクの他端の収納部１には、外面板３の外端に押罫の折目線を介して封止片３ｄが連設され、封止片３ｄには、先端縁に指掛用の切込３ｅが設けられると共に、切込３ｅから基端側へかけて外側に傾斜した押罫の折目線３ｆが入れられている。
【００２０】
このようなブランクを組み立てる際には、図４に示すように、外面板３、一対の側面板４及び内面板５を角筒状に折り曲げ、接着片６を外面板３に貼り付けて、立体化された３個の収納部１が一列に並ぶ形状とし、各収納部１に菓子等の内容物を収納する。
【００２１】
次に、図５に示すように、屈曲部２を山折り方向に折り曲げて、仕切板部７を折目線７ａ，７ｂに沿って窪ませつつ、収納部１の一端部の両側面板４の間隔を狭くして、その部分を隣り合う収納部１の他端部の両側面板４の間に挿入する。
【００２２】
そして、折曲片３ａ，４ａを順次内側へ折り曲げ、封止片３ｄを折曲片３ａ，４ａの間に差し込むと、図１及び図２に示すように、３個の収納部１が三角環をなすように配列された状態で、封止片３ｄが折曲片４ａに係合して封緘される。
【００２３】
上記のような屈曲箱では、各収納部１が角筒状となっていることから、自己保形性に優れ、側面板４が押されても収納部１に隙間が生じることがなく、内容物を仕切板部７で確実に区分けして各収納部１に収納でき、異物から保護することができる。
【００２４】
また、３個の収納部１が環状をなし、中央部に穴が開いた形状となるので、小売店の菓子売り場等で陳列する際、通常の直方体の包装箱に比べて、消費者の注意を惹くことができ、販売促進効果が期待できる。
【００２５】
一方、この屈曲箱を開封する際には、図６に示すように、外面板３の切目線３ｂに挟まれた部分を、切目線３ｂの切断に伴い、折目線３ｃを軸として開き、封止片３ｄを、折目線３ｆに沿って撓ませつつ、切込３ｅに指を掛けて、折曲片３ａ，４ａの間から引き抜くと、屈曲部２を伸ばして、各収納部１から内容物を取り出すことができる。
【００２６】
次に、この発明の第２実施形態を図７乃至図１２に基づいて説明する。
【００２７】
図７及び図８に示すように、この屈曲箱は、６個の収納部１を屈曲部２を介して連結したものであり、図９に示すような一枚の板紙製ブランクから形成される。
【００２８】
このブランクでは、６個の収納部１を形成する部分が一列に配置され、各収納部１を形成する部分は、外面板３の一側に側面板４、内面板５、側面板４及び接着片６を押罫の折目線を介して順次連設したものとされている。
【００２９】
隣り合う収納部１の外面板３同士は、押罫の折目線を介して繋がっており、この折目線が屈曲部２となっている。各収納部１の接着片６もまた、押罫の折目線から成る屈曲部２を介して繋がっている。そして、隣り合う収納部１の一対の側面板４及び内面板５は、切目線を介して切り離されている。
【００３０】
側面板４は、平行四辺形とされ、側面板４の両側の斜辺は、内面板５及び接着片６との境界の折目線と直交する方向に対して６０°の角度をなすものとされている。
【００３１】
側面板４の鋭角となるコーナー部に隣接する内面板５の一端部には、仕切板部７が設けられている。仕切板部７には、外端縁の中心を頂点としてＶ字状に切目入りのリード罫から成る折目線７ａが入れられている。
【００３２】
ブランクの一端の収納部１には、側面板４の外端に押罫の折目線を介して折曲片４ａが連設され、外面板３の外端に押罫の折目線を介して折曲片３ａが連設されている。また、この外面板３には、折曲片３ａとの境界両端から内側へ斜め方向に延びるジッパ型の切目線３ｂが入れられ、その内端間に押罫の折目線３ｃが入れられている。
【００３３】
ブランクの他端の収納部１には、外面板３の外端に押罫の折目線を介して封止片３ｄが連設され、封止片３ｄには、先端縁に指掛用の切込３ｅが設けられると共に、切込３ｅから基端側へかけて外側に傾斜した押罫の折目線３ｆが入れられている。
【００３４】
このようなブランクを組み立てる際には、図１０に示すように、外面板３、一対の側面板４及び内面板５を角筒状に折り曲げ、接着片６を外面板３に貼り付けて、立体化された６個の収納部１が一列に並ぶ形状とし、隣り合う収納部１の対向面が開くように、屈曲部２を谷折り方向に折り曲げた状態で、各収納部１に菓子等の内容物を収納する。
【００３５】
次に、図１１に示すように、屈曲部２を山折り方向に折り曲げて、仕切板部７を折目線７ａに沿って窪ませつつ、収納部１の一端部の両側面板４の間隔を狭くして、その部分を隣り合う収納部１の他端部の両側面板４の間に挿入する。
【００３６】
そして、折曲片３ａ，４ａを順次内側へ折り曲げ、封止片３ｄを折曲片３ａ，４ａの間に差し込むと、図７及び図８に示すように、６個の収納部１が六角環をなすように配列された状態で、封止片３ｄが折曲片４ａに係合して封緘される。
【００３７】
上記のような屈曲箱では、各収納部１が角筒状となっていることから、自己保形性に優れ、側面板４が押されても収納部１に隙間が生じることがなく、内容物を仕切板部７で確実に区分けして各収納部１に収納でき、異物から保護することができる。
【００３８】
また、６個の収納部１が環状をなし、中央部に穴が開いた形状となるので、小売店の菓子売り場等で陳列する際、通常の直方体の包装箱に比べて、消費者の注意を惹くことができ、販売促進効果が期待できる。
【００３９】
一方、この屈曲箱を開封する際には、図１２に示すように、外面板３の切目線３ｂに挟まれた部分を、切目線３ｂの切断に伴い、折目線３ｃを軸として開き、封止片３ｄを、折目線３ｆに沿って撓ませつつ、切込３ｅに指を掛けて、折曲片３ａ，４ａの間から引き抜くと、屈曲部２を伸ばし、さらに谷折り方向に折り曲げて、隣り合う収納部１の対向面を開き、各収納部１から内容物を取り出すことができる。
【００４０】
次に、この発明の第３実施形態を図１３乃至図１５に基づいて説明する。
【００４１】
図１３に示すように、この屈曲箱は、２個の収納部１を屈曲部２を介して連結したものであり、図１４に示すような一枚の板紙製ブランクから形成される。
【００４２】
このブランクでは、２個の収納部１を形成する部分が一列に配置され、各収納部１を形成する部分は、外面板３の一側に側面板４、内面板５、側面板４及び接着片６を押罫の折目線を介して順次連設したものとされている。
【００４３】
隣り合う収納部１の外面板３及び側面板４同士は、屈曲部２を介して繋がっており、内面板５同士は、切り離されている。
【００４４】
外面板３を繋ぐ屈曲部２には、押罫の折目線２ａが両側間に多数本平行に入れられている。各収納部１の接着片６もまた屈曲部２を介して繋がっており、この屈曲部２にも多数本の折目線２ａが入れられている。
【００４５】
側面板４を繋ぐ屈曲部２には、交互に逆方向に傾斜した折目線２ｂが折目線２ａの一端を頂点として多数本入れられ、折目線２ｂは、押罫に切目を入れたリード罫のものと、押罫だけのものとが交互にＶ字状に並ぶように配置されている。
【００４６】
一方の内面板５には、他方の内面板５へ向けて仕切板部７が設けられている。仕切板部７の先端には、折曲片７ｃが押罫の折目線を介して連設されている。
【００４７】
側面板４の外端には、押罫の折目線を介して折曲片４ａが連設され、内面板５の外端には、蓋板８及び差込片８ａが順次押罫の折目線を介して連設されている。
【００４８】
一方の外面板３の外端には、押罫の折目線を介して保持板９及び差込片９ａが順次連設され、差込片９ａの基部にはスリット状の封止穴９ｂが設けられている。他方の外面板３の外端には、２本の切込間の部分を突出させて、封止片３ｇが設けられ、その中間部には押罫の折目線が幅方向に入れられている。
【００４９】
このようなブランクを組み立てる際には、図１５に示すように、外面板３、一対の側面板４及び内面板５を角筒状に折り曲げ、接着片６を外面板３に貼り付けて、立体化された２個の収納部１が一列に並ぶ形状とし、各収納部１に菓子等の内容物を収納して、折曲片４ａを内側へ折り曲げ、蓋板８を閉じ、差込片８ａを収納部１内に差し込む。
【００５０】
次に、仕切板部７から折曲片７ｃを折り曲げ、側面板４を繋ぐ屈曲部２を折目線２ｂに沿って蛇腹状に折り曲げつつ、外面板３を繋ぐ屈曲部２を折目線２ａに沿って湾曲させ、２個の収納部１の内面板５同士を重ねると、一方の収納部１から突出する仕切板部７が屈曲部２の内部空間を二分する。
【００５１】
そして、保持板９を２個の収納部１の蓋板８に沿って渡すように折り曲げ、差込片９ａを他方の収納部１の外面板３と差込片８ａとの間に差し込み、封止片３ｇを屈曲させつつ封止穴９ｂに差し込むと、図１３に示すように、各収納部１が封緘された状態で、屈曲部２の折り曲げに伴い、２個の収納部１を重ねた状態が保持される。
【００５２】
上記のような屈曲箱では、各収納部１が角筒状となっていることから、自己保形性に優れ、側面板４が押されても収納部１に隙間が生じることがなく、内容物を仕切板部７で確実に区分けして各収納部１に収納でき、異物から保護することができる。
【００５３】
なお、上記各実施形態では、各収納部１が同一の大きさ及び形状となったものを例示したが、異なる大きさや形状の収納部１を屈曲部２を介して繋ぐようにしてもよい。
【００５４】
さらに、各収納部１の外面板３が単一の平面となったものを例示したが、外面板３は、折目線を介して角度をなす複数の平面から構成されるものとしてもよい。
【符号の説明】
【００５５】
１  収納部
２  屈曲部
２ａ，２ｂ  折目線
３  外面板
３ａ  折曲片
３ｂ  切目線
３ｃ  折目線
３ｄ  封止片
３ｅ  切込
３ｆ  折目線
３ｇ  封止片
４  側面板
４ａ  折曲片
５  内面板
６  接着片
７  仕切板部
７ａ，７ｂ  折目線
７ｃ  折曲片
８  蓋板
８ａ  差込片
９  保持板
９ａ  差込片
９ｂ  封止穴
【図１】
2011042395.tif 000003
【図２】
2011042395.tif 000004
【図３】
2011042395.tif 000005
【図４】
2011042395.tif 000006
【図５】
2011042395.tif 000007
【図６】
2011042395.tif 000008
【図７】
2011042395.tif 000009
【図８】
2011042395.tif 000010
【図９】
2011042395.tif 000011
【図１０】
2011042395.tif 000012
【図１１】
2011042395.tif 000013
【図１２】
2011042395.tif 000014
【図１３】
2011042395.tif 000015
【図１４】
2011042395.tif 000016
【図１５】
2011042395.tif 000017
【図１６】
2011042395.tif 000018
【図１７】
2011042395.tif 000019